(57)【特許請求の範囲】
【請求項１】
少なくとも１枚のパネル部材と、
該１枚のパネル部材に連結された少なくとも３個の摺動子と、
建物の外部空間の天井面に取り付けられ、前記３個の摺動子を係脱可能な状態で支持すると共に該摺動子を係合した状態では前記建物の外側に向けて摺動可能となるように該摺動子を支持する少なくとも１個のガイド部と、
を備え、
前記パネル部材は、少なくとも、前記１個のガイド部に２個以上の摺動子を支持させることにより前記建物の外側に庇状に略水平に突出されてなる第１位置、前記１個のガイド部に１個の摺動子を支持させることにより前記パネル部材の一側の面が前記建物の略外側を向くような第２位置、及び前記１個のガイド部に１個の摺動子を支持させることにより前記パネル部材の他側の面が前記建物の略外側を向くことにより前記第２位置から表裏反転及び上下反転の両方を行うことのできる第３位置、を選択的に取り得るように前記ガイド部に移動自在に支持された、
ことを特徴とする移動パネル装置。
【請求項２】
光の反射率が一側の面（以下、“低反射面"とする）よりも他側の面（以下、“高反射面"とする）の方が高くなるように構成された少なくとも１枚のパネル部材と、
該１枚のパネル部材に連結された少なくとも３個の摺動子と、
建物の外部空間の天井面に取り付けられ、前記３個の摺動子を係脱可能な状態で支持すると共に該摺動子を係合した状態では前記建物の外側に向けて摺動可能となるように該摺動子を支持する少なくとも１個のガイド部と、
を備え、
前記パネル部材は、少なくとも、前記１個のガイド部に２個以上の摺動子を支持させることにより前記建物の外側に庇状に略水平に突出されてなる第１位置、前記１個のガイド部に１個の摺動子を支持させることにより前記パネル部材の前記高反射面が前記建物の略外側を向くような第２位置、及び前記１個のガイド部に１個の摺動子を支持させることにより前記パネル部材の前記低反射面が前記建物の略外側を向くような第３位置、を選択的に取り得るように前記ガイド部に移動自在に支持された、
ことを特徴とする移動パネル装置。
【請求項３】
前記第２位置又は前記第３位置を取る前記パネル部材が所定の仰角を為すように該パネル部材を傾斜した状態に支持するパネル支持部材、
を備えたことを特徴とする請求項２に記載の移動パネル装置。
【請求項４】
一対の縦枠部材と一対の横枠部材とによって方形枠状に形成された枠体、を備え、
前記パネル部材は、前記一対の縦枠部材又は前記一対の横枠部材に複数支持されて前記枠体と共にルーバーを構成する、
ことを特徴とする請求項２又は３に記載の移動パネル装置。
【請求項５】
前記パネル部材は、前記一対の縦枠部材又は前記一対の横枠部材により回転自在に支持された羽板である、
ことを特徴とする請求項４に記載の移動パネル装置。
【請求項６】
前記一対の縦枠部材に回転自在に支持されてなる前記複数のパネル部材の回転中心は、前記枠体が前記建物から略水平に突出された場合に、該建物から遠ざかるほど低くなるように配置された、
ことを特徴とする請求項５に記載の移動パネル装置。
【発明の詳細な説明】
【技術分野】
【０００１】
本発明は、建物の外部空間においてパネル部材を移動自在に構成した移動パネル装置に係り、詳しくは、該パネル部材の表裏反転及び上下反転の両方を行えるようにした装置に関する。
【背景技術】
【０００２】
従来、集合住宅や戸建て住宅やオフィスビル等の建物の外部空間においては、日差しのコントロールや他の様々な目的のためにパネル部材を配置するようにしたものが種々提案されている（例えば、特許文献１，２，３参照）。
【先行技術文献】
【特許文献】
【０００３】
【特許文献１】特開２００８−０１３９６７号公報
【特許文献２】特開２００３−２２１８６９号公報
【特許文献３】特開２００３−１５５８８２号公報
【発明の概要】
【発明が解決しようとする課題】
【０００４】
しかしながら、そのようなパネル部材の表裏反転及び上下反転の両方を行うようにした装置については適切な構造のものは提案されていなかった。
【０００５】
本発明は、上述の問題を解消することのできる移動パネル装置を提供することを目的とするものである。
【課題を解決するための手段】
【０００６】
請求項１に係る発明は、図１及び図２(a) (b) に例示するものであって、少なくとも１枚のパネル部材（２）と、
該１枚のパネル部材（２）に連結された少なくとも３個の摺動子（５，…）と、
建物（３）の外部空間（３ａ）の天井面（３ｂ）に取り付けられ、前記３個の摺動子（５，…）を係脱可能な状態で支持すると共に該摺動子（５，…）を係合した状態では前記建物（３）の外側（Ａ）に向けて摺動可能となるように該摺動子（５，…）を支持する少なくとも１個のガイド部（４）と、
を備え、
前記パネル部材（２）は、少なくとも、前記１個のガイド部（４）に２個以上の摺動子（５，…）を支持させることにより前記建物（３）の外側（Ａ）に庇状に略水平に突出されてなる第１位置、前記１個のガイド部（４）に１個の摺動子（５，…）を支持させることにより前記パネル部材（２）の一側の面が前記建物（３）の略外側（Ａ）を向くような第２位置、及び前記１個のガイド部（４）に１個の摺動子（５，…）を支持させることにより前記パネル部材（２）の他側の面が前記建物（３）の略外側（Ａ）を向くことにより前記第２位置から表裏反転及び上下反転の両方を行うことのできる第３位置、を選択的に取り得るように前記ガイド部（４）に移動自在に支持されたことを特徴とする。
【０００７】
請求項２に係る発明は、図１及び図２(a) (b) に例示するものであって、光の反射率が一側の面（以下、“低反射面"とする）よりも他側の面（以下、“高反射面"とする）の方が高くなるように構成された少なくとも１枚のパネル部材（２）と、
該１枚のパネル部材（２）に連結された少なくとも３個の摺動子（５，…）と、
建物（３）の外部空間（３ａ）の天井面（３ｂ）に取り付けられ、前記３個の摺動子（５，…）を係脱可能な状態で支持すると共に該摺動子（５，…）を係合した状態では前記建物（３）の外側（Ａ）に向けて摺動可能となるように該摺動子（５，…）を支持する少なくとも１個のガイド部（４）と、
を備え、
前記パネル部材（２）は、少なくとも、前記１個のガイド部（４）に２個以上の摺動子（５，…）を支持させることにより前記建物（３）の外側（Ａ）に庇状に略水平に突出されてなる第１位置（図３(b) 及び図６(a) 参照）、前記１個のガイド部（４）に１個の摺動子（５，…）を支持させることにより前記パネル部材（２）の前記高反射面が前記建物（３）の略外側（Ａ）を向くような第２位置（図４(a)
(b) 参照）、及び前記１個のガイド部（４）に１個の摺動子（５，…）を支持させることにより前記パネル部材（２）の前記低反射面が前記建物（３）の略外側（Ａ）を向くような第３位置（図６(b)
及び図７(a) 参照）、を選択的に取り得るように前記ガイド部（４）に移動自在に支持されたことを特徴とする移動パネル装置（１）に関する。
【０００８】
請求項３に係る発明は、請求項２に係る発明において、前記第２位置又は前記第３位置を取る前記パネル部材（２）が所定の仰角を為すように該パネル部材（２）を傾斜した状態に支持するパネル支持部材（図６(b) の符号６参照）、を備えたことを特徴とする。
【０００９】
請求項４に係る発明は、請求項２又は３に係る発明において、図２(a) (b) に例示するように、一対の縦枠部材（７ａ，７ａ）と一対の横枠部材（７ｂ，７ｂ）とによって方形枠状に形成された枠体（７）、を備え、
前記パネル部材（２）は、前記一対の縦枠部材（７ａ，７ａ）又は前記一対の横枠部材（７ｂ，７ｂ）に複数支持されて前記枠体（７）と共にルーバー（Ｂ）を構成することを特徴とする。
【００１０】
請求項５に係る発明は、請求項４に記載の発明において、前記パネル部材（２）は、前記一対の縦枠部材（７ａ，７ａ）又は前記一対の横枠部材（７ｂ，７ｂ）により回転自在に支持された羽板であることを特徴とする。
【００１１】
請求項６に係る発明は、請求項５に記載の発明において、図１０に例示するように、前記一対の縦枠部材（７ａ，７ａ）に回転自在に支持されてなる前記複数のパネル部材（２，…）の回転中心（２ａ，…）は、前記枠体（７）が前記建物（３）から略水平に突出された場合に、該建物（３）から遠ざかるほど低くなるように配置されたことを特徴とする。
【００１２】
なお、括弧内の番号などは、図面における対応する要素を示す便宜的なものであり、従って、本記述は図面上の記載に限定拘束されるものではない。
【発明の効果】
【００１３】
請求項１に係る発明によれば、パネル部材の表裏反転及び上下反転を行うことができるという効果を得ることが出来る。
【００１４】
請求項２及び３に係る発明によれば、前記第１位置、前記第２位置又は前記第３位置に前記パネル部材を適宜移動することにより、日差しをカットしたり前記外部空間に日差しを取り入れたりすることができる。また、前記パネル部材を前記第３位置に配置した場合には、前記外部空間を暖めることができ、前記建物の室内空間の温度低下を緩和することができる。さらに、本発明によれば、前記移動パネル装置は外部空間の天井面に支持されているので、外部空間の下部空間（つまり、天井付近の空間よりも下方の空間）が狭くなることを回避できる。
【００１５】
請求項４及び５に係る発明によれば、日差しだけでなく風の取り込みもコントロールすることができる。
【００１６】
請求項６に係る発明によれば、前記建物に近接する側が高くて該建物から離れるほど低くなる階段状の連続面を前記複数のパネル部材によって形成することができ、前記外部空間への雨の吹き込みや滴りを低減することができる。
【図面の簡単な説明】
【００１７】
【図１】図１は、本発明に係る移動パネル装置の全体構成の一例を示す側面図である。
【図２】図２(a) は、本発明に係る移動パネル装置の構成の一例を示す正面図であり、同図(b) は、パネル部材の構成の一例を示す側面図である。
【図３】図３(a) は、パネル部材を収納した状態を示す側面図であり、同図(b) は、パネル部材を庇状に引っ張り出した状態を示す側面図である。
【図４】図４(a) (b) は、パネル部材を第２位置に配置した状態の例を示す側面図である。
【図５】図５(a) (b) は、パネル部材を収納する様子の一例を示す側面図である。
【図６】図６(a) は、パネル部材を庇状に引っ張り出した状態を示す側面図であり、同図(b) は、パネル部材を第３位置に配置した状態の例を示す側面図である。
【図７】図７(a) は、パネル部材を第３位置に配置した状態の例を示す側面図であり、同図(b) は、パネル部材を収納する様子の一例を示す側面図である。
【図８】図８は、ガイド部及び摺動子の構造の一例を示す斜視図である。
【図９】図９(a) は、摺動子が溝部に配置された様子を示す断面図であり、同図(b) は、摺動部が凹部に侵入した様子を示す断面図である。
【図１０】図１０は、ルーバーの構成の一例を示す断面図である。
【発明を実施するための形態】
【００１８】
以下、図１乃至図１０に沿って、本発明の実施の形態について説明する。
【００１９】
本発明に係る移動パネル装置は、図１に符号１で例示するものであって、
・  少なくとも１枚のパネル部材２と、
・  建物３の外部空間３ａの天井面３ｂに取り付けられると共に前記パネル部材２を移動自在に支持する少なくとも１個のガイド部４と、
を備えている。そして、前記１枚のパネル部材２には、図２(b) に符号５，…で例示するように、少なくとも３個の摺動子が連結されており、該３個の摺動子５，…は、前記１個のガイド部４に係脱可能な状態で支持されるようになっていて、該１個のガイド部４に係合されている状態では前記建物３の外側（図３(a)
(b) の符号Ａ参照）に向けて摺動可能となるように該ガイド部４により支持されるようになっていた。つまり、前記パネル部材２は、前記摺動子５を介して前記ガイド部４に移動自在に支持されている。
【００２０】
そして、前記パネル部材２は、少なくとも、
・  前記１個のガイド部４に２個以上の摺動子５，…を支持させることにより前記建物３の外側Ａに庇状に略水平に突出されてなる第１位置（図３(b) 及び図６(a) 参照）、
・  前記１個のガイド部４に１個の摺動子５を支持させることにより前記パネル部材２の一側の面が前記建物３の略外側Ａを向くような第２位置（図４(a) (b) 参照）、及び
・  前記１個のガイド部４に１個の摺動子５を支持させることにより前記パネル部材２の他側の面が前記建物３の略外側Ａを向くことにより前記第２位置から（つまり、前記第２位置にあるパネル部材２から）表裏反転及び上下反転の両方を行うことのできる第３位置（図６(b) 及び図７(a) 参照）、
を選択的に取り得るように構成されている。ここで、上述の“前記建物３の略外側Ａを向く”状態には、前記パネル部材２が鉛直に配置されている状態だけでなく、該パネル部材２が所定の仰角を為すように配置されている状態をも含むものとする。また、前記パネル部材２を前記第２位置から前記第３位置に反転させるためには、図４(b) →図５(a) →図５(b) →図６(a) →図６(b) →図７(a) に示す順序でパネル部材２を移動させると良い。
【００２１】
上述の移動パネル装置１によれば、前記第２位置及び前記第３位置のようにしてパネル部材２の表裏反転及び上下反転を行うことができるという効果を得ることが出来る。
【００２２】
ここで、前記一側の面と前記他側の面において  何らかの特性（例えば、後述するような光の反射率）を異ならせるようにしても、或いは、前記一側の面と前記他側の面とに異なる色やデザインを施すようにしても、どちらでも良い。前記一側の面と前記他側の面とに異なるデザインを施した場合には、居住者等の気分により、前記第２位置と前記第３位置とで前記パネル部材２の表裏を変更することができる。
【００２３】
また、前記パネル部材２の一部（該パネル部材２の中央部より高い位置か低い位置）に開口部（表裏に貫通する開放窓）を形成するようにしても良い。そのようにした場合には、前記パネル部材２を前記第２位置にした場合と前記第３位置にした場合とで前記開口部の高さを高くしたり低くしたりすることができる。
【００２４】
本発明に係る移動パネル装置は、図１に符号１で例示するものであって、
・  少なくとも１枚のパネル部材２と、
・  建物３の外部空間３ａの天井面３ｂに取り付けられると共に前記パネル部材２を移動自在に支持する少なくとも１個のガイド部４と、
を備えている。そして、前記１枚のパネル部材２には、図２(b) に符号５，…で例示するように、少なくとも３個の摺動子が連結されており、該３個の摺動子５，…は、前記１個のガイド部４に係脱可能な状態で支持されるようになっていて、該１個のガイド部４に係合されている状態では前記建物３の外側（図３(a)
(b) の符号Ａ参照）に向けて摺動可能となるように該ガイド部４により支持されるようになっていた。つまり、前記パネル部材２は、前記摺動子５を介して前記ガイド部４に移動自在に支持されている。なお、前記建物３としては、集合住宅や戸建て住宅やオフィスビルや商業ビル等を挙げることができ、前記外部空間３ａとは、ベランダや外廊下のように建物の外部に開放されている空間をいう。
【００２５】
また、上述のパネル部材２は、光の反射率が一側の面（例えば、図２(b) において右側を向く面であり、以下、“低反射面"とする）よりも他側の面（例えば、図２(b) において左側を向く面であり、以下、“高反射面"とする）の方が高くなるように構成されている。該パネル部材２は透光性のもの（具体的には、単板ガラスや複層ガラス）が好ましいが、非透光のものを排除する趣旨では無い。なお、光の反射率が前記低反射面よりも前記高反射面の方が高くなるようにする方法としては、
・  該高反射面の側に金属板を積層させる方法や、
・  金属を含んだ塗料を該高反射面の側に塗布する方法や、
・  前記低反射面を濃い色（例えば、黒色）にする方法や、
・  ハーフミラーやマジックミラーなどを使用する方法
などを挙げることが出来る。
【００２６】
そして、前記パネル部材２は、少なくとも、
・  前記１個のガイド部４に２個以上の摺動子５，…を支持させることにより前記建物３の外側Ａに庇状に略水平に突出されてなる第１位置（図３(b) 及び図６(a) 参照）、
・  前記１個のガイド部４に１個の摺動子５を支持させることにより前記パネル部材２の前記高反射面が前記建物３の略外側Ａを向くような第２位置（図４(a) (b) 参照）、及び
・  前記１個のガイド部４に１個の摺動子５を支持させることにより前記パネル部材２の前記低反射面が前記建物３の略外側Ａを向くような第３位置（図６(b) 及び図７(a) 参照）、
を選択的に取り得るように構成されている。ここで、上述の“前記建物３の略外側Ａを向く”状態には、前記パネル部材２が鉛直に配置されている状態だけでなく、該パネル部材２が所定の仰角を為すように配置されている状態をも含むものとする。また、前記パネル部材２を前記第２位置から前記第３位置に反転させるためには、図４(b) →図５(a) →図５(b) →図６(a) →図６(b) →図７(a) に示す順序でパネル部材２を移動させると良い。図４(b) に示す状態で外側Ａを向いている面に★印を付すと、該★印を付した面は、図５(b)
や図６(a) に示す状態では下方を向き、図７(a) に示す状態では外側Ａではなく内側（つまり、外部空間３ａの側）を向くこととなる。
【００２７】
一方、図２(a) に示す例では、前記ガイド部４は前記パネル部材２の両側にそれぞれ配置されていて該パネル部材２の両端を支持するように構成されているが、その場合は、図８に詳示するように、ガイド部４に溝部４ａを形成すると共に摺動子５をボス状とし、該溝部４ａによりボス状の摺動子５を摺動自在に支持するようにすると良い。また、該溝部４ａには、前記摺動子５を嵌合し得る凹部４ｂを設けておき、前記パネル部材２が該凹部４ｂを中心として揺動されるように構成しても良い。その場合、ボス状の摺動子５は、
・  図９(a) に示すように溝部４ａに配置される位置と、
・  図９(b) に示すように凹部４ｂに侵入する位置と、
に移動可能に構成しておいて、必要に応じてその位置を変更できるようにしておくと良い。
【００２８】
なお、図２(b) に示す例では、１個のガイド部４に対し４個の摺動子５,…が支持されるようになっているが、３個であっても、或いは５個以上であっても良い。また、溝部以外の形状で前記摺動子を摺動させるようにしても良く、該摺動子はボス状以外の形状としても良い。さらに、ガイド部４をパネル部材２の両側ではなく一側にのみ配置するようにしても良い。
【００２９】
本発明によれば、前記第１位置、前記第２位置又は前記第３位置に前記パネル部材２を適宜移動することにより、日差しをカットしたり前記外部空間３ａに日差しを取り入れたりすることができる。また、前記パネル部材２を前記第２位置に配置した場合には、前記外部空間３ａの収熱を抑えたり、前記パネル部材２を前記第３位置に配置した場合には、前記外部空間３ａを暖めることができ、前記建物３の室内空間３ｃの温度上昇または温度低下を緩和することができる。さらに、本発明によれば、前記移動パネル装置１は外部空間３ａの天井面３ｂに支持されているので、外部空間３ａの下部空間（つまり、天井付近の空間を除く空間）が狭くなることを回避できる。
【００３０】
一方、前記第２位置又は前記第３位置を取る前記パネル部材２が所定の仰角を為すように該パネル部材２を傾斜した状態に支持するパネル支持部材（図６(b) の符号６参照）、を設けるようにしても良い。例えば、該パネル支持部材６の一端は前記ガイド部４の下面に回転自在に支持されるようにしておき、該パネル支持部材６の他端は前記パネル部材２の側（例えば、後述する縦枠部材７ａの側面）に係止できるようにしておくと良い。
【００３１】
また一方、図２(a) (b) に例示するように、互いに対向するように配置された一対の縦枠部材７ａ，７ａと、互いに対向すると共に前記縦枠部材７ａ，７ａに直交するように配置された一対の横枠部材７ｂ，７ｂとによって方形枠状の枠体７を形成し、前記パネル部材２は該枠体７の開口を閉塞するように配置すると良い。その場合、該パネル部材２を前記一対の縦枠部材７ａ，７ａに複数支持させた羽板とし、これらの枠体７及び複数のパネル部材２，…によってルーバーＢを構成しても良い。また、該パネル部材２を前記一対の横枠部材７ｂ，７ｂに複数支持させた羽板とし、これらの枠体７及び複数のパネル部材２，…によってルーバーＢを構成しても良い。なお、各パネル部材（羽板）２は回転自在にしても、固定してもどちらでも良い。また、前記複数のパネル部材２，…を回転自在に構成する場合には、図１０に例示するように、前記一対の縦枠部材７ａ，７ａに回転自在に支持されてなる前記複数のパネル部材２の回転中心２ａは、前記枠体７が前記建物３から略水平に突出された場合に、該建物３から遠ざかるほど低くなるように配置しておくと良い。そのようにした場合には、同図に例示するように、該建物３に近接する側が高くて、該建物３から離れるほど低くなる階段状の連続面を形成することができ、前記外部空間３ａへの雨の吹き込みや滴りを低減できるという効果を奏する。なお、同図に示す各パネル部材２を、図示左側が低くなるような下り勾配を形成するようにして雨水が図示左側に流れ落ちるようにすると良い。また、図１０のように構成した場合、図３(b)
→図４(a) →図４(b) →図５(a) →図５(b) →図６(a) のようにルーバーＢを移動させて上下に反転させたとしても、各パネル部材２は図１０のように配置されることとなり、上述の効果（つまり、外部空間３ａへの雨の吹き込みや滴りを低減できるという効果）を維持できる。一方、上述の摺動子５，…は前記縦枠部材７ａに取り付けておくと良い。上述のように前記パネル部材２によってルーバーＢを構成した場合には、日差しだけでなく風の取り込みもコントロールすることができる。
【符号の説明】
【００３２】
１                  移動パネル装置
２                  パネル部材
３                  建物
３ｂ                天井面
４                  ガイド部
５，…              摺動子
６                  パネル支持部材
７                  枠体
７ａ，７ａ          縦枠部材
７ｂ，７ｂ          横枠部材
Ａ                  建物の外側
Ｂ                  ルーバー
【図１】
0005762279.tif 000002
【図２】
0005762279.tif 000003
【図３】
0005762279.tif 000004
【図４】
0005762279.tif 000005
【図５】
0005762279.tif 000006
【図６】
0005762279.tif 000007
【図７】
0005762279.tif 000008
【図８】
0005762279.tif 000009
【図９】
0005762279.tif 000010
【図１０】
0005762279.tif 000011